(57)【要約】  多数のトランスポンダ（６ａ．．６ｃ）との通信用のアンテナ（１）が提供され、アンテナ（１）はトランスポンダ（６ｃ）のための少なくとも１つの読出し／書込み領域（４ｃ）を個々に十分に囲むアンテナコンダクタ（２）を有し、かつ／または、多数の読出し／書込み領域（４ａ，４ｂ）がアンテナコンダクタ（２）によって囲まれた連続する内部領域（３）内に配置される場合、内部領域（３）は読出し／書込み領域（４ａ，４ｂ）の間に圧縮部分（５ａ）を有し、その結果、アンテナコンダクタ（２）はこれら読出し／書込み領域（４ａ，４ｂ）を個々に大きく囲む。アンテナ（１）によって放射される電磁場は、それにより読出し／書込み領域（４ａ，４ｃ）上に集中される。
2008507185.tif 000002
【特許請求の範囲】
【請求項１】
多数のトランスポンダ（６ａ．．６ｆ）との通信用のアンテナ（１）であって、前記アンテナ（１）はトランスポンダ（６ａ．．６ｆ）のための多数の読出し／書込み領域（４ａ．．４ｆ）を囲むアンテナコンダクタ（２）を有し、
前記アンテナコンダクタ（２）は、少なくとも２つの読出し／書込み領域（４ａ．．４ｆ）を個々に十分に囲む、または
前記アンテナコンダクタ（２）は、その中に含まれる多数の読出し／書込み領域（４ａ．．４ｆ）の間に圧縮部分（５ａ．．５ｅ）を有する連続する内部領域（３）を囲み、その結果、前記アンテナコンダクタ（２）は少なくとも２つの読出し／書込み領域（４ａ．．４ｆ）を個々に大きく囲む、または
前記アンテナコンダクタ（２）は、少なくとも１つの読出し／書込み領域（４ａ．．４ｆ）を個々に十分に囲み、かつその中に含まれる多数の読出し／書込み領域（４ａ．．４ｆ）の間に圧縮部分（５ａ．．５ｅ）を有する連続する内部領域（３）も囲み、その結果、前記アンテナコンダクタ（２）は、少なくとも２つの読出し／書込み領域（４ａ．．４ｆ）を個々に大きく囲む
アンテナ（１）。
【請求項２】
十分に囲まれた読出し／書込み領域（４ａ．．４ｆ）の場合、前記アンテナコンダクタ（２）の包囲角度は３６０度を超えることを特徴とする、請求項１に記載のアンテナ（１）。
【請求項３】
前記アンテナコンダクタ（２）は、隣接した読出し／書込み領域（４ａ．．４ｆ）を反対の方向に囲むことを特徴とする、請求項２に記載のアンテナ（１）。
【請求項４】
連続する内部領域（３）内の多数の読出し／書込み領域（４ａ．．４ｆ）の場合、前記内部領域（３）内の圧縮部分（５ａ）に関して囲まれた最小円（８ａ）に対する前記内部領域（３）内の読出し／書込み領域（４ａ）に関して囲まれた最大円（７ａ）の比率は少なくとも１．５であることを特徴とする、請求項１に記載のアンテナ（１）。
【請求項５】
前記内部領域（３）内の隣接した読出し／書込み領域（４ａ．．４ｂ）に関して囲まれ、かつ互いの間に最小間隔を有する２つの最大円（７ａ，７ｂ）の中心間隔（Ａ７ａ／７ｂ）は、それらの半径（Ｒ７ａ，Ｒ７ｂ）の合計の少なくとも１．５倍に相当することを特徴とする、請求項４に記載のアンテナ（１）。
【請求項６】
前記読出し／書込み領域（４ａ．．４ｆ）は、互いに平行な平面内または単一の平面内にそれぞれ位置し、前記アンテナコンダクタ（２）は同様に前記読出し／書込み領域（４ａ．．４ｆ）のそれぞれの平面内に配置されることを特徴とする、請求項１に記載のアンテナ（１）。
【請求項７】
前記読出し／書込み領域（４ａ．．４ｆ）は幾何学的表面上に位置し、かつ前記アンテナコンダクタ（２）は同様にこの表面上に配置されることを特徴とする、請求項１に記載のアンテナ（１）。
【請求項８】
読出し／書込み領域（４ａ．．４ｆ）は、トランスポンダ（６ａ．．６ｆ）のアンテナがこの読出し／書込み領域（４ａ．．４ｆ）内に十分に配置されることが可能であるように構成されることを特徴とする、請求項１から７のうち１つに記載のアンテナ（１）。
【請求項９】
複数のトランスポンダ（６ａ．．６ｆ）との通信用の通信局（９）であって、
請求項１から８のうち１つに記載の少なくとも１つのアンテナ（１）と、
前記アンテナ（１）に電力を供給するための供給装置（１０）と、
前記アンテナ（１）に結合された評価ユニット（１１）と
を有する通信局（９）。
【請求項１０】
請求項１から８のうち１つに記載のアンテナ（１）および／または請求項９に記載の通信局（９）の陳列棚内、実用品内または販売機内の使用。
【発明の詳細な説明】
【技術分野】
【０００１】
本発明は多数のトランスポンダ、特に、多数のいわゆる無線識別タグ（radio-frequency identification tags）、略称をＲＦＩＤタグという、との通信用のアンテナに関し、そのアンテナはトランスポンダのための多数の読出し／書込み領域を囲むアンテナコンダクタ（antenna conductor）を有する。
【０００２】
本発明はまた、本発明によるアンテナを有する通信システム、および本発明によるアンテナまたはそのような通信局の使用に関する。
【背景技術】
【０００３】
前記ＲＦＩＤタグは先行技術で知られており、一般にデータを記憶するために、または物体識別のために用いられる。例えば、消費者製品は価格、材料、使用説明などを簡単な方法で電子的に明らかにするためにそのようなタグを備えている。したがって、本発明は一般に無線で書き込まれかつ読み出されることが可能なデータ記憶媒体に関する。
【０００４】
前述のＲＦＩＤタグは一般に比較的小さく、物体上に接着接合されるか、物体内に直接含まれる。ＲＦＩＤタグ内に通常組み込まれるアンテナの助けにより、通信局、いわゆる「リーダ（reader）」と通信することが可能である。また、アクティブ型（active）ＲＦＩＤタグと、独自の電流供給またはエネルギー供給を有さないパッシブ型（passive）ＲＦＩＤタグとが分類される。この場合、組み込まれたアンテナの助けにより、通信局またはデータ送受信装置（transceiving device）によって放射される電磁場から引き出されるエネルギーがＲＦＩＤタグに供給される。このように、パッシブ型トランスポンダからデータを読み出すことまたはパッシブ型トランスポンダにデータを書き込むことが可能である。
【０００５】
しかし、前述のトランスポンダに対する十分なエネルギー供給を実現するために、通信局のアンテナはそれに対応して強い場（field）を提供しなければならない。さらに、多数のそのようなトランスポンダ、またはそのようなトランスポンダを備えた物体が非常に狭い間隔で配置されるシステムが存在し、その結果、トランスポンダおよび／またはトランスポンダを備えた物体の位置によって、通信システムのアンテナはトランスポンダの位置にも適合されなければならない。
【０００６】
多数のトランスポンダを同時に受信するために、最新技術によれば、普通のアンテナを用いることも可能である。通常、その場合、アンテナは単にトランスポンダ用の読出し／書込み領域を包囲する。しかし、単一のトランスポンダ用のアンテナと比較して、多数のトランスポンダ用のアンテナの面積はより大きいため、アンテナコンダクタからさらに離れた領域内の場の強度は大きく減少し、その結果、通信局とトランスポンダとの間の通信はそこでは不可能であるか、限定された範囲までだけ可能である。
【０００７】
前述の問題は、多数のトランスポンダが本質的に線に沿って配置され、それに対応した、長さと幅の比率が１をはるかに超えるアンテナのデザインを伴う場合にも生じる。この場合、縦方向に伸びる互いに平行なアンテナコンダクタ部分は主に場の形成に貢献し、それに対して横に幅方向に伸びるアンテナコンダクタ部分は場の形成により少なく貢献する。したがって、そのようなアンテナでは、通常の間隔に従う場合、通常のトランスポンダに十分なエネルギー供給を提供するために十分強い電磁場が中央部分に存在しないことも想定されなければならない。
【０００８】
したがって、多数のトランスポンダ用のアンテナの場合、より強いエネルギー供給がアンテナに加えられ、そのアンテナはより大きなコンダクタ断面を必要とするか、トランスポンダまたはトランスポンダを備えた製品はアンテナ近くに配置されるかのどちらかを確実にする必要がある。しかし、そのようなトランスポンダがトランスポンダを備えた製品内に組み込まれる場合、アンテナとトランスポンダとの間の距離のどのような削減も、多くの場合、設計条件によって制限される。
【０００９】
十分大きな場を実現するために、別の方法として、例えば、多数のアンテナがトランスポンダの配置数に対応して行または線の形態で配置されてもよいが、増加された多数の、個々のアンテナのための端子および供給ラインまたは接続ラインのため、そのような構造は不利であり、増加された経費および設計費を必要とする。
【発明の開示】
【発明が解決しようとする課題】
【００１０】
したがって、本発明の目的は、前述の不利点が克服される、多数のトランスポンダとの通信用のアンテナ、および前記アンテナを有する通信局を提供することである。
【課題を解決するための手段】
【００１１】
前述の目的を実現するために、本発明は第一段落で述べられた型のアンテナに関し、
アンテナコンダクタは、少なくとも２つの読出し／書込み領域を個々に十分に囲む、または
アンテナコンダクタは、その中に含まれる多数の読出し／書込み領域の間に圧縮部分（constrictions）を有する連続する内部領域を囲み、その結果、アンテナコンダクタは少なくとも２つの読出し／書込み領域を個々に大きく囲む、または
アンテナコンダクタは、少なくとも１つの読出し／書込み領域を個々に十分に囲み、かつその中に含まれる多数の読出し／書込み領域の間に圧縮部分を有する連続する内部領域も囲み、その結果、アンテナコンダクタは、少なくとも２つの読出し／書込み領域を個々に大きく囲む。
【００１２】
本発明による特徴によって実現される効果は、前記読出し／書込み領域内の電磁場が単一のアンテナにより集中されることである。これは通信局とトランスポンダとの間の通信をかなり改善することができる。
【００１３】
細長いアンテナの場合、アンテナの最大寸法（the largest dimension）の方向に伸びるアンテナコンダクタ部分の小区域（subregions）の他に、それに対して横に伸びる挿入されたアンテナコンダクタ部分も、アンテナ場の形成に貢献し、その結果、全体として、低電力でも、データを送るためのトランスポンダ内への十分なエネルギー供給を提供するための十分大きな電磁場が生み出されることが可能である。
【００１４】
したがって、アンテナに送られるべき電力を増加せずに、十分高い電磁場を提供することが可能である。したがって、本発明により提案されるアンテナ構成は、構造条件の所定の要件に従って、アンテナとトランスポンダとの間に、より大きな距離を提供することを可能にする。
【００１５】
本発明によるアンテナの場合、データはさらに、例えば、行または線または列の形態で配置される多数のトランスポンダ、またはトランスポンダを備えた製品から同時に受信されることが可能である。したがって、簡略化された供給ラインまたは接続ラインを有する単一のアンテナで間に合わせることが可能である。さらに、アンテナと、データ媒体またはデータ媒体を備えた製品との間にかなりの距離が存在するとしても、データ媒体内にエネルギーを生成するのに十分な場を提供することによって、確実なデータ取得が実現されることが可能である。
【００１６】
十分に囲まれた読出し／書込み領域の場合、アンテナコンダクタの包囲角度（enveloping angle）は３６０度を超えると有利である。それにより、特に強い電磁場が、読出し／書込み領域の付近に、実現されることが可能である。
【００１７】
本発明の有利な一実施形態は、アンテナコンダクタが隣接した読出し／書込み領域を反対の方向に取り囲むアンテナによっても提供される。この配置は、個々の読出し／書込み領域が互いの間に小さな間隔だけを有する場合に特に適している。これは、密に隣接した読出し／書込み領域が同じ方向に取り囲まれている場合、反対の方向に電流を伝えるアンテナコンダクタの部分が互いに近いことから、電磁場のキャンセレーション（cancellation）または最小の減衰現象（least attenuation phenomena）が生じることになるためである。さらに、前述の配置の場合の材料費は比較的小さい。
【００１８】
連続する内部領域内の多数の読出し／書込み領域の場合、内部領域内の圧縮部分に関して囲まれた最小円に対する内部領域内の読出し／書込み領域に関して囲まれた最大円の比率は、少なくとも１．５になると有利である。確かに、これらの比率の場合、読出し／書込み領域に電磁場を集中させることの本発明による効果が特に十分に明らかになる。
【００１９】
また、内部領域内の隣接した読出し／書込み領域に関して囲まれ、かつ互いの間に最小間隔を有する２つの最大円の中心間隔は、それらの半径の合計の少なくとも１．５倍に相当すると有利である。このようにして、アンテナの縦寸法を横切る方向に伸びるアンテナコンダクタ部分は十分大きな間隔を有し、その結果、前記コンダクタ部分によって生み出される電磁場が、その小さいコンダクタ間隔のために、実質的に互いに影響を及ぼす、ということがない。
【００２０】
さらに、読出し／書込み領域はそれぞれ互いに平行な平面内または単一の平面内に位置し、アンテナコンダクタは同様に読出し／書込み領域のそれぞれの平面内に配置されると有利である。特に、行列（a matrix）の形態に配置された読出し／書込み領域を有する場合、例えば、そのようなアンテナは、識別されるべき物体が保管される陳列棚または自動販売機に特に適する。この場合、アンテナは陳列棚の後ろ側に適用されても良い。
【００２１】
また、読出し／書込み領域は幾何学的表面上に位置し、アンテナコンダクタは同様にこの表面上に配置されると有利である。必ずしも平面上に位置する必要のない物体は、多数のＲＦＩＤタグを備えていてもよい。一例は、２つの異なる立方面上に、２つの異なる配送サービスのためのＲＦＩＤタグを有する立方体の小包（packet）である。ＲＦＩＤタグ配置のそのような配列とでさえも確実に通信することを可能にするために、幾何学的に湾曲したアンテナは有利である。
【００２２】
読出し／書込み領域は、トランスポンダのアンテナがこの読出し／書込み領域内に十分に配置されることが可能であるように構成されることも特に有利である、なぜなら、そこでは、データ送受信ユニットのアンテナとトランスポンダのアンテナとの間の結合が特に強いからである。
【００２３】
読出し／書込み領域は、トランスポンダを備えた多数の物体が各々それぞれの読出し／書込み領域内に十分に配置されることが可能であるように構成されることも特に有利である。トランスポンダは一般にトランスポンダを備える製品よりも小さい。したがって、例えば、ＲＦＩＤタグが配置される正確な場所を製品から見ることが不可能な場合、アンテナを物体の大きさに適合することは好都合かもしれない。
【００２４】
アンテナコンダクタによって囲まれていない内部領域の位置に隣接する圧縮部分または読出し／書込み領域は数に入れないで、多くても２つの圧縮部分の領域が、１つの読出し／書込み領域に隣接する（逆もまた同様）と有利である。これは、示されたような、本質的に一次元方向（one-dimensional direction）を有するアンテナは特に生産が容易なためである。本質的にまっすぐなアンテナが特に好ましいが、例えば、湾曲した実施形態も可能である。
【００２５】
また、アンテナコンダクタによって囲まれていない内部領域の位置に隣接する圧縮部分または読出し／書込み領域は数に入れないで、少なくとも１つの圧縮部分が、２つを越える読出し／書込み領域に隣接する（および／または逆もまた同様）と有利である。示されたような、分岐を有するアンテナは、読出し／書込み位置が本質的に線上に位置しない配置に適する。したがって、特に行列の形態での配置も可能である。
【００２６】
本発明による目的は、少なくとも１本のアンテナ、アンテナに電力を供給するための供給装置、およびアンテナに結合される評価ユニットを有する、多数のトランスポンダとの通信用の通信局によっても実現される。
【００２７】
本発明によれば、本発明によるアンテナおよび／または本発明による通信局の使用は、とりわけ陳列棚内、特に小売陳列棚内、実用品（例えば、プリンタ、データ媒体などを維持するための収納庫など）内、または自動販売機内において提供される。上に示されたそのような用途では、多くの場合、行または列の形態で配置される多数のデータ媒体、またはデータ媒体を備えた製品のデータ検索（data interrogation）を可能にする必要がある。
【００２８】
陳列棚（例えば、特に小売陳列棚）内で用いられる場合、そのようなデータ検索は在庫目録記入のために用いられてもよい。代替方法として、例えば、データ記憶媒体を備えた製品が陳列棚から除去されていることを検出する場合、小売陳列棚の隣に設置された表示画面上で追加情報を利用できるようにすることが可能である。
【００２９】
実用品（例えば、プリンタ）内で用いられる場合、個々のプリンタカートリッジの使用頻度または使用期間は、例えば、データ媒体を備えた個々のプリンタカートリッジの位置に従って監視されてもよく、そのようなプリンタカートリッジの充填レベルに関する情報を利用できるようにすることが可能である。
【００３０】
自動販売機内に用いられる場合、所望の製品の在庫目録記入または自動的除去のために同様の機会が存在する。
【００３１】
本発明のこれらの態様およびその他の態様は、以下に説明される実施形態を参照して明らかであり、かつ説明されることになるが、本発明はそれに限定されない。
【発明を実施するための最良の形態】
【００３２】
図１ａは、多数のトランスポンダ６ａ．．６ｃとの通信のためのアンテナコンダクタ２を有するアンテナを示し、この目的のために、このアンテナは、直線に沿って配列された３つの読出し／書込み領域４ａ．．４ｃを有する。アンテナコンダクタ２は、読出し／書込み領域４ａ．．４ｃの間に圧縮部分５ａ．．５ｂを有する、連続する内部領域３を囲む。比較のために、破線は圧縮部分５ａ．．５ｂを有さない先行技術による配置を表す。圧縮部分５ａ．．５ｂを提供することによって実現される効果は、目下、アンテナコンダクタ２が各読出し／書込み領域４ａ．．４ｃを大きく囲むことである。読出し／書込み領域４ａ．．４ｃおよび圧縮部分５ａ．．５ｂの両方は、アンテナコンダクタ２の互いに対向する平行部分によって形成され、これらは、斜めに伸びる部分によってそれぞれ接続される。先行技術による構成と比較して、圧縮部分５ａ．．５ｂを有するアンテナ１の場合、読出し／書込み領域４ａ．．４ｃ内の電磁場強度はより大きいが、インダクタンスはより低い。電磁場の効果は、図１において、アンテナコンダクタ２のそれぞれの部分からトランスポンダ６ａ．．６ｃに向かう矢印によって示されている。
【００３３】
図１ｂは、図１ａに示されたアンテナと類似したアンテナ１を示し、ここでは、読出し／書込み領域４ａ．．４ｃはアンテナコンダクタ２の互いに対向する楕円形の部分によって形成され、圧縮部分５ａ．．５ｂはアンテナコンダクタ２の互いに対向する平行な部分によって形成される。また、内部領域３内の読出し／書込み領域４ａに関する最大囲み可能円（circumscribable circle）７ａおよび内部領域３内の圧縮部分５ａに関する最小囲み可能円８ａが表される。図１ｂは、最小円８ａの半径Ｒ８ａに対する最大円７ａの半径Ｒ７ａの比率が１．５をかなり超えることを明らかに示している。
【００３４】
図１ｃは、本発明によるアンテナ１の別の実施形態を示す。この場合、読出し／書込み領域４ａ．．４ｃおよび圧縮部分５ａ．．５ｂは、図１ａの場合のようにアンテナコンダクタ２の互いに対向する平行な部分によって形成されるが、これらは、これらに直角に伸びる部分によって、接続される。図１ｃでは、内部領域３内の読出し／書込み領域４ａに関する最大囲み可能円７ａおよび内部領域３内の読出し／書込み領域４ｂに関する最大囲み可能円７ｂも表される。この場合、２つの円７ａおよび７ｂは互いの間に最小間隔を有する。このように、図１ｃは、２つの円７ａおよび７ｂの中心間隔Ａ７ａ／７ｂがそれらの半径Ｒ７ａ，Ｒ７ｂの合計の１．５倍を超えることを明らかに示している。
【００３５】
図２ａはまた、多数のトランスポンダ６ａ．．６ｃとの通信用のアンテナコンダクタ２を有するアンテナ１を示し、この場合、アンテナ１は直線に沿って配列された３つの読出し／書込み領域４ａ．．４ｃを有するが、ここでは、アンテナコンダクタ２は各読出し／書込み領域４ａ．．４ｃを個々に十分に囲む。この目的のために、アンテナコンダクタ２は読出し／書込み領域４ａ．．４ｃを囲むループを有する。この場合もまた、読出し／書込み領域４ａ．．４ｃ内の電磁場強度は先行技術による構成内よりも大きい。電磁場の効果は、やはりアンテナコンダクタ２のそれぞれの部分からトランスポンダ６ａ．．６ｃに向かう矢印で示されている。アンテナコンダクタ２のより大きな包囲角度のために、読出し／書込み領域４ａ．．４ｃ上の電磁場の集中は、図１ａ．．１ｃで表される実施形態のときよりもさらに大きい。第３の読出し／書込み領域４ｃでは、包囲角度はさらに５４０度の値を有する。図２ａでは、第３の読出し／書込み領域４ｃにおける外側コンダクタ２の重複は平面内に位置するものとして表されている。当然、外側コンダクタ２の対応する部分は他方の上に位置することも考えられる。
【００３６】
図２ｂは、図２ａによるアンテナ１を示すが、ここでは、読出し／書込み領域４ａ．．４ｃの間をそれぞれ通過する、アンテナコンダクタ２の直線に伸び、かつ互いに平行な部分の間の間隔は、図２ａの場合より小さい。それにより電磁場は読出し／書込み領域４ａ．．４ｃ上にさらによく集中され、アンテナ１のインダクタンスは削減される。これは、互いに反対の方向の電流フローのため、電磁場がアンテナコンダクタ２の直線に伸び、かつ互いに平行な部分上で実質的にキャンセルされるためである。
【００３７】
図２ｃはアンテナ１の別の好ましい実施形態を示し、ここでは、アンテナコンダクタ２はある程度曲がりくねっており、それぞれの交差点の間に読出し／書込み領域４ａ．．４ｃを含む。示されたようなアンテナ１の効果は、図２ｂで表された変更形態と類似するが、この場合、アンテナ１の材料費用は幾分少ない。
【００３８】
図２ｄは、最後に、通信局９用のアンテナ１を示し、ここでは、アンテナ１の２つの末端は物理的に分離されている。アンテナコンダクタ２は、それぞれ読出し／書込み領域４ａ．．４ｃを個々に含む、単一のループを形成する。この場合、読出し／書込み領域４ａ．．４ｃは直線上に配置されているが、当然、その他の構成も可能である。
【００３９】
図３は、最後に、図１ａおよび図２ｃの形態が組み合わされたアンテナ１を示す。この場合、アンテナコンダクタ２は、読出し／書込み領域４ａ．．４ｂの間に圧縮部分５ａを有する連続する内側領域３と、読出し／書込み領域４ｃとの両方を十分に囲む。それぞれの部分上のアンテナ１の効果は、図１ａおよび図２ｃで説明された効果と類似する。ここで、図３はすでに述べられた形態を組み合わせる可能性を例示することだけが意図されており、本発明は決して具体的に示された組合せに限定されない点が言及されるべきである。むしろ、すべての考えられる組合せが、本発明の広い範囲に含まれる。これは、特に、図４ａ，４ｂおよび５で表された実施形態にも適用される。
【００４０】
図４ａは、図１ｃによるアンテナを示すが、ここでは、読出し／書込み領域４ａ．．４ｆは行列の形態で配置されている。ここで、第１の３つの読出し／書込み領域４ａ．．４ｃは第１の線内に位置し、第２の３つの読出し／書込み領域４ｄ．．４ｆは第２の線内に位置する。アンテナ１の効果は、この場合、図１ｃに示されるアンテナ１と類似する。破線は、やはり先行技術による構成を表す。アンテナコンダクタ２は本質的に読出し／書込み領域４ａ．．４ｆのエンベロープ（envelope）を形成する。先行技術による配置と比較して、ここでもやはり、電磁場は読出し／書込み領域４ａ．．４ｆ内に集中される。
【００４１】
図４ｂは、図４ａによるアンテナ１をさらに示し、ここでは、読出し／書込み領域４ａ．．４ｆは行列とは少し異なった形態で配置され、厳密な線／列の形態から逸脱する。さらに、読出し／書込み領域４ａ．．４ｆは、この場合、図４ａの場合のようにチェーン（chain）の形態で接続されず、分岐部を経由して接続される。しかし、アンテナ１の効果は、図４ａに示されたアンテナ１と類似する。
【００４２】
図５は、最後に、図２ｂによるアンテナを示し、ここでは、読出し／書込み領域４ａ．．４ｆは同様に行列の形態で配置され、やはりアンテナコンダクタ２によってチェーンの形態で接続される。この場合においては、図２ｂによるアンテナ１が水平軸を通して鏡映しにされたようになっている。したがって、図５では、アンテナコンダクタ２は読出し／書込み領域４ａ．．４ｆの個々の線の間の領域を囲み、このことは、この領域内で実際に所望されない電磁場を導くことになる。しかし、このことは、図２ｂで表された形態を鏡写しにするのではなく、むしろ単に複製する（同じものを並べる）ことによって容易に回避されることが可能であり、この場合には、アンテナコンダクタ２の適切な接続部分が左手の端に備える必要がある。しかし、その場合、この変更形態では増加された材料費が必要となる。
【００４３】
次に図６は、物体１２ａ．．１２ｃに取り付けられた多数のトランスポンダ６ａ．．６ｃとの通信用の通信局９を示す。通信局９は、アンテナコンダクタ２を有するアンテナ１、アンテナ１に電力を供給するための供給装置１０、およびアンテナ１に結合された評価ユニット１１を有する。読出し／書込み領域４ａ．．４ｃは、アンテナコンダクタ２も配置される単一の平面内に位置することが明らかにわかる。また、読出し／書込み領域４ａ．．４ｃは、トランスポンダ６ａ．．６ｃ、したがってそれらのアンテナが各々同時にそれぞれの読出し／書込み領域４ａ．．４ｃ内に十分に配置されることが可能であるように構成されることが明らかにわかる。表された配置では、物体１２ａ．．１２ｃ自体さえも各々それぞれの読出し／書込み領域４ａ．．４ｃ内に配置されることが可能である。
【００４４】
図７は、最後に、通信局９を示し、ここでは、読出し／書込み領域４ａ．．４ｃは幾何学的表面上に配置され、アンテナコンダクタ２は同様にこの表面内に配置されている。この立方体の物体１２は３つのトランスポンダ６ａ．．６ｃを各々異なる側面に有するため、ここでは、この配置は必要である。しかし、物体１２は、物体１２が異なる空間的位置にある場合でさえも通信局９によって読み出されることが意図された１つだけのトランスポンダ６ａを有することが考えられる。ここでは、二重矢印は物体１２の可能なトランスポート方向を表す。単に例示として、物体１２は、コンベヤベルト（図示されず）を用いてトランスポート方向に向かって通信局９に配送される、包みまたは荷物品目であってもよい点にここで言及されるべきである。その場合、通信局９は、例えば前述の包みに関して郵便局における、または前述の荷物品目に関して空港における、選別機の一部であってもよい。
【００４５】
最後に、アンテナコンダクタ２は必ずしも単体で形成される必要がない点にも言及されたい。むしろ、当然、多数の個々の部分から作られてもよい。適切な設計により、アンテナ１はこのように効率的に製造されることが可能な多数の類似モジュールから成ってもよい。
【００４６】
本発明による特徴は個別にまたは任意の組合せで用いられてもよい点にも言及されたい。
【００４７】
最後に、本発明はアンテナコンダクタ２の表された形態に限定されるべきであることを意図したものではない。特に、例えば、読出し／書込み領域４ａ．．４ｆをトランスポンダ６ａ．．６ｆの外形に適合するために、円形または環状、長方形または正方形および多角形の読出し／書込み領域４ａ．．４ｆが代わりに想定されてもよく、その場合、読出し／書込み領域４ａ．．４ｆはトランスポンダ６ａ．．６ｆの大きさにも適合されることが好ましい。
【００４８】
様々な形態の他に、特に、読出し／書込み領域４ａ．．４ｆ上にさらにより強く電磁場を集中させるために、図２ａ−２ｄ，３および５によるアンテナ１に関して、例えば、１つの平面内または互いの上に位置する多層ループも可能である。いずれの場合も、本発明は読出し／書込み領域４ａ．．４ｆ内に増加された電磁場を実現し、その結果、知られているアンテナと比較して、より小さな電流がアンテナ１内のトランスポンダ６ａ．．６ｆへの十分な供給に必要とされる。
【００４９】
アンテナ１により同時に読み出されることが可能なトランスポンダ６ａ．．６ｆの数は、図に表されたように多くても６つのトランスポンダ６ａ．．６ｆの数に限定されず、アンテナ１は要求または用途に応じて適応されることが可能である点にも言及されたい。
【００５０】
最後に、前述の実施形態は、本発明を限定するよりもむしろ例示し、当業者は添付の特許請求の範囲によって定義された本発明の範囲から逸脱せずに多くの代替的な実施形態を設計できることになる点にも留意すべきである。特許請求の範囲では、括弧内に置かれたいずれの参照符号も特許請求の範囲を限定するものとして解釈されるべきではない。用語「有する」および「有す」などは、任意の特許請求の範囲内または全体として明細書内に記載された要素またはステップの存在を排除しない。要素の１つだけの言及はそのような要素の複数の言及を排除せず、逆もまた同様である。複数の手段を列挙する装置クレームでは、複数のこれら手段は１つの同じハードウェア品目によって実施されてもよい。いくつかの措置が互いに異なる従属クレーム内で列挙されるという単なる事実は、これら措置の組合せを有利に用いることができない旨を示さない。
【図面の簡単な説明】
【００５１】
【図１ａ】多数の読出し／書込み領域が、アンテナコンダクタによって囲まれた連続する内部領域内に配置されるアンテナを示す図である。
【図１ｂ】多数の読出し／書込み領域が、アンテナコンダクタによって囲まれた連続する内部領域内に配置されるアンテナを示す図である。
【図１ｃ】多数の読出し／書込み領域が、アンテナコンダクタによって囲まれた連続する内部領域内に配置されるアンテナを示す図である。
【図２ａ】アンテナコンダクタが多数の読出し／書込み領域を個々に十分に囲むアンテナを示す図である。
【図２ｂ】アンテナコンダクタが多数の読出し／書込み領域を個々に十分に囲むアンテナを示す図である。
【図２ｃ】アンテナコンダクタが多数の読出し／書込み領域を個々に十分に囲むアンテナを示す図である。
【図２ｄ】アンテナコンダクタが多数の読出し／書込み領域を個々に十分に囲むアンテナを示す図である。
【図３】図１ａおよび図２ｃの組合せ形態を有するアンテナを示す図である。
【図４ａ】読出し／書込み領域が行列の形態で配置された、図１ｃによるアンテナを示す図である。
【図４ｂ】読出し／書込み領域が行列とは少し異なった形態で配置された、図４ａによるアンテナを示す図である。
【図５】読出し／書込み領域が行列の形態で配置された、図２ｂによるアンテナを示す図である。
【図６】多数のトランスポンダとの通信用の通信局を示す図である。
【図７】読出し／書込み領域が幾何学的表面上に配置された通信局を示す図である。
【図１ａ】
2008507185.tif 000003
【図１ｂ】
2008507185.tif 000004
【図１ｃ】
2008507185.tif 000005
【図２ａ】
2008507185.tif 000006
【図２ｂ】
2008507185.tif 000007
【図２ｃ】
2008507185.tif 000008
【図２ｄ】
2008507185.tif 000009
【図３】
2008507185.tif 000010
【図４ａ】
2008507185.tif 000011
【図４ｂ】
2008507185.tif 000012
【図５】
2008507185.tif 000013
【図６】
2008507185.tif 000014
【図７】
2008507185.tif 000015
【国際調査報告】
2008507185.tif 000016
2008507185.tif 000017